(57)【要約】      （修正有）【課題】ノギスでは測定困難な用途の計測を可能にする曲尺を提供する。【解決手段】物の寸法を計測する方法に使用する曲尺Ａの鞘管Ｂであって、鞘管Ｂは、本体と、本体に設けた前記二本の曲尺Ａのそれぞれ長尺１の短手方向を併設して収容できる方形状の収容部と、収容部にスペーサを収容し、スペーサで、曲尺Ａを収容部に緊締すると共に、緊締を、本体に螺着した止め螺子で行う構成とした曲尺Ａの鞘管Ｂである。【選択図】図１
2013054008.tif 000002
【特許請求の範囲】
【請求項１】
少なくとも二本の曲尺を、鞘管の緊締で、この曲尺の組合せを固定する固定方法と、また、この少なくとも二本の曲尺を、この鞘管の緊締解除による摺動で、この曲尺の組合せを変更する変更方法とを利用して、種々の物の寸法を計測する方法であって、
（１）  前記曲尺の短尺と長尺を、ともに隣接する固定方法において、この短尺間で物を挾み、この長尺の目盛りを視認し、この物の長さを計測する方法と、
（２）  前記曲尺の短尺と長尺を、ともに隣接する固定方法において、この短尺の外側と内側を物の内面に当接し、この長尺の目盛りを視認し、この物の長さを計測する方法と、
（３）  前記曲尺の長尺を、隣接する固定方法において、この曲尺の短尺間で、かつこの短尺の内側同士で、物を挾み、この長尺の目盛りを視認し、この物の長さを計測する方法と、
（４）  前記曲尺の短尺と長尺を、ともに隣接する固定方法において、この短尺の内側と外側を物の外面に当接し、この長尺の目盛りを視認し、この物の長さを計測する方法と、
（５）  前記曲尺の長尺を、隣接するとともに、その短尺を、相反する方向に設けた固定方法において、この短尺の外側を、それぞれ物に当接し、この長尺の目盛りを視認し、この物の長さを計測する方法と、
（６）  前記曲尺の長尺を、隣接するとともに、その短尺を、相反する方向に設けた固定方法において、この短尺の外側に、また、この長尺の長手方向の端部を、それぞれ物に当接し、この長尺の目盛りを視認し、この物の長さを計測する方法と、
（７）  前記曲尺の長尺を、その短尺に隣接する固定方法において、この長短尺を、それぞれ物に当接し、この短尺、又は長尺の目盛りを視認し、この物の間隔を計測する方法と、
上記の各計測する方法を選択できることを特徴とする物の寸法を計測する方法。
【請求項２】
請求項１に記載の物の寸法を計測する方法であって、
前記曲尺の長短尺の内外側に、目盛りを設け、この内外側の目盛りを利用して、物の寸法を計測する方法。
【請求項３】
請求項１に記載の物の寸法を計測する方法に使用する曲尺の鞘管であって、
この鞘管は、筒状の本体と、この本体に設けた前記少なくとも二本の曲尺のそれぞれ長尺の短手方向を併設して収容できる方形状の収容部と、この収容部にスペーサを収容し、このスペーサで、前記曲尺を収容部に緊締すると共に、この緊締を、前記本体に螺着した止め螺子で行う構成とした曲尺の鞘管。
【請求項４】
請求項１に記載の物の寸法を計測する方法に使用する曲尺の鞘管であって、
この鞘管は、ケースと、このケースに設けた前記少なくとも二本の曲尺のそれぞれ長尺の短手方向を併設して収容できる方形状の空胴部と、又はこの空胴部に至るケースに螺着した止め螺子で行う構成とした曲尺の鞘管。
【請求項５】
請求項３に記載の物の寸法を計測する方法に使用する曲尺の鞘管であって、
前記収容部の底部に、この底部より低い底部を形成し、この低い底部に、前記スペーサを、収容する構成とした曲尺の鞘管。
【請求項６】
請求項３、又は請求項４に記載の物の寸法を計測する方法に使用する曲尺の鞘管であって、
前記本体、又はケースは、扁平筒状とする構成とした曲尺の鞘管。
【発明の詳細な説明】
【技術分野】
【０００１】
本発明は、物の寸法を計測する方法と、この方法に使用する曲尺の鞘管に関する
【背景技術】
【０００２】
従来、物の内外径を計測する冶具として、ノギスがある。このノギスは、物の一方に接触（当接、添接、又は係止）する内側ジョウと、その他方に接触する外側ジョウとで構成され、通常は、外側ジョウが基尺（主尺）の上を摺動する構造となる。従って、物の内外径を計測するという、本来の計測は可能であるが、本発明が意図する、例えば、図９−３〜図９−６に関する計測は、困難である。殊に、図９−７に示した、極めて、特殊な使用の仕方と、計測には不向きであることと、汎用性に欠けること、等の改良点が考えられる。また、ノギスは、構造上と、緻密な計測の必要性から、製作精度が要求されること、或いは製造工程の複雑化等から、製品コストが嵩み、かつ高価格であることが考えられる。そこで、低コストで有りながら、簡易なノギス代替品が望まれている。
【０００３】
以上の要望に応ええる先行文献の一例を説明する。先ず、文献１は、従来のノギスは、内外側ジョウの長さが同じであることの改良であり、この内外側ジョウの長さを長短の不均衡とすることで、新しい物、例えば、外周、側面等に凹凸、窪みのある異形物で、人の歯、流線型の物の計測を可能とする。特開２００９−２８２０００号公報である。この発明は、新しい物の計測を可能とするが、前述した本発明のような物（物品、商品等）を計測するには十分でない。また、文献２は、従来の曲尺では、長短尺辺を利用して計測することの改良であり、この発明は、曲尺の長尺辺に、測定桿と摺動桿を併設した構造とし、立体造型物の二点間の距離、角度等の測定を可能とする。特開平１０−６２１０１号公報である。この文献２は、曲尺の改良であり、本発明と類似するが、前述した本発明のような物を計測するには十分でない。さらに、文献１と同じ改良を意図した考案として、文献３がある。実開平２−１４１８０４号公報である。この考案は、内外側ジョウの長さを長短の不均衡とすることで、新しい計測方法、例えば、ノギスの本尺（基尺）が心押台に邪魔されることなく、旋盤等の機械にセットした加工物寸法の計測を可能とする。しかし、文献１と同じ課題を抱えている。
【０００４】
【特許文献１】特開２００９−２８２０００号公報
【特許文献２】特開平１０−６２１０１号公報
【特許文献３】実開平２−１４１８０４号公報
【発明の概要】
【発明が解決しようとする課題】
【０００５】
そこで、本発明は、前記文献１〜３で問題となっている課題を、解決する。即ち、本発明は、例えば、図９−１、図９−２に関するノギスとしての計測を可能とすると共に、図９−３〜図９−６に関する得意な計測を可能とする。殊に、図９−７に示した、極めて、特殊な使用の仕方と、計測を図ることにあるとともに、汎用性があり、かつノギスと同等な使用に係わらず、構造が簡単であり、比較的、緻密な計測が可能となること、或いは製造工程の簡略化等から、製品コストをカットし、低価格のノギス代替品を提供する。さらに、本発明では、一方・他方の曲尺が損傷しても、市販のもので代替でき重宝すること、その他の器材は使用できるので、有益であり、利便性がある。また、本発明は、ｍｍ単位の正確性を必要としない、計測に最適で、かつノギスと同じ計測ができるノギス代替品を提供する。
【課題を解決するための手段】
【０００６】
請求項１の発明は、鞘管に、少なくとも二枚の曲尺を移動可能と、抜差し自在とすることで、例えば、下記の（１）〜（３）の如く、通常のノギスとして使用を始めとして、深さの計測、下記の（４）〜（７）等の如く、長尺物の計測、深さの計測、又は短尺（長尺）で計測する際に、短尺間に障害物が存在する場合の計測、或いは計測物間に、上下、又は左右において、位相がある計測、等の、それぞれの得意な計測を可能とする計測方法を提供する。
【０００７】
請求項１は、少なくとも二本の曲尺を、鞘管の緊締で、この曲尺の組合せを固定する固定方法と、また、この少なくとも二本の曲尺を、この鞘管の緊締解除による摺動で、この曲尺の組合せを変更する変更方法とを利用して、種々の物の寸法を計測する方法であって、
（１）  前記曲尺の短尺と長尺を、ともに隣接する固定方法において、この短尺間で物を挾み、この長尺の目盛りを視認し、この物の長さを計測する方法と、
（２）  前記曲尺の短尺と長尺を、ともに隣接する固定方法において、この短尺の外側と内側を物の内面に当接し、この長尺の目盛りを視認し、この物の長さを計測する方法と、
（３）  前記曲尺の長尺を、隣接する固定方法において、この曲尺の短尺間で、かつこの短尺の内側同士で、物を挾み、この長尺の目盛りを視認し、この物の長さを計測する方法と、
（４）  前記曲尺の短尺と長尺を、ともに隣接する固定方法において、この短尺の内側と外側を物の外面に当接し、この長尺の目盛りを視認し、この物の長さを計測する方法と、
（５）  前記曲尺の長尺を、隣接するとともに、その短尺を、相反する方向に設けた固定方法において、この短尺の外側を、それぞれ物に当接し、この長尺の目盛りを視認し、この物の長さを計測する方法と、
（６）  前記曲尺の長尺を、隣接するとともに、その短尺を、相反する方向に設けた固定方法において、この短尺の外側に、また、この長尺の長手方向の端部を、それぞれ物に当接し、この長尺の目盛りを視認し、この物の長さを計測する方法と、
（７）  前記曲尺の長尺を、その短尺に隣接する固定方法において、この長短尺を、それぞれ物に当接し、この短尺、又は長尺の目盛りを視認し、この物の間隔を計測する方法と、
上記の各計測する方法を選択できることを特徴とする物の寸法を計測する方法である。
【０００８】
請求項２の発明は、請求項１の目的を達成しつつ、さらに計測の容易化と、正確性に役立つ曲尺を提供し、その目的を達成することを意図する。
【０００９】
請求項２は、請求項１に記載の物の寸法を計測する方法であって、
前記曲尺の長短尺の内外側に、目盛りを設け、この内外側の目盛りを利用して、物の寸法を計測する方法である。
【００１０】
請求項３・４の発明は、請求項１の目的を達成するための曲尺の構造を提供する。
【００１１】
請求項３は、請求項１に記載の物の寸法を計測する方法に使用する曲尺の鞘管であって、
この鞘管は、筒状の本体と、この本体に設けた前記少なくとも二本の曲尺のそれぞれ長尺の短手方向を併設して収容できる方形状の収容部と、この収容部にスペーサを収容し、このスペーサで、前記曲尺を収容部に緊締すると共に、この緊締を、前記本体に螺着した止め螺子で行う構成とした曲尺の鞘管である。
【００１２】
請求項４の発明は、請求項１に記載の物の寸法を計測する方法に使用する曲尺の鞘管であって、
この鞘管は、ケースと、このケースに設けた前記少なくとも二本の曲尺のそれぞれ長尺の短手方向を併設して収容できる方形状の空胴部と、又はこの空胴部に至るケースに螺着した止め螺子で行う構成とした曲尺の鞘管である。
【００１３】
請求項５・６の発明は、請求項３の目的を達成するための曲尺の鞘管の構造を提供する。
【００１４】
請求項５は、請求項３に記載の物の寸法を計測する方法に使用する曲尺の鞘管であって、
前記収容部の底部に、この底部より低い底部を形成し、この低い底部に、前記スペーサを、収容する構成とした曲尺の鞘管である。
【００１５】
請求項６は、請求項３、又は請求項４に記載の物の寸法を計測する方法に使用する曲尺の鞘管であって、
前記本体、又はケースは、扁平筒状とする構成とした曲尺の鞘管前記本体は、扁平筒状とする構成とした曲尺の鞘管である。
【発明の効果】
【００１６】
請求項１の発明は、少なくとも二本の曲尺を、鞘管の緊締で、曲尺の組合せを固定する固定方法と、また、少なくとも二本の曲尺を、鞘管の緊締解除による摺動で、曲尺の組合せを変更する変更方法とを利用して、種々の物の寸法を計測する方法であって、
（１）  曲尺の短尺と長尺を、ともに隣接する固定方法において、短尺間で物を挾み、長尺の目盛りを視認し、物の長さを計測する方法と、
（２）  曲尺の短尺と長尺を、ともに隣接する固定方法において、短尺の外側と内側を物の内面に当接し、長尺の目盛りを視認し、物の長さを計測する方法と、
（３）  曲尺の長尺を、隣接する固定方法において、曲尺の短尺間で、かつ短尺の内側同士で、物を挾み、長尺の目盛りを視認し、物の長さを計測する方法と、
（４）  曲尺の短尺と長尺を、ともに隣接する固定方法において、短尺の内側と外側を物の外面に当接し、長尺の目盛りを視認し、物の長さを計測する方法と、
（５）  曲尺の長尺を、隣接するとともに、短尺を、相反する方向に設けた固定方法において、短尺の外側を、それぞれ物に当接し、長尺の目盛りを視認し、物の長さを計測する方法と、
（６）  曲尺の長尺を、隣接するとともに、短尺を、相反する方向に設けた固定方法において、短尺の外側に、また、長尺の長手方向の端部を、それぞれ物に当接し、長尺の目盛りを視認し、物の長さを計測する方法と、
（７）  曲尺の長尺を、短尺に隣接する固定方法において、長短尺を、それぞれ物に当接し、短尺、又は長尺の目盛りを視認し、物の間隔を計測する方法と、
上記の各計測する方法を選択できることを特徴とする物の寸法を計測する方法である。
【００１７】
従って、請求項１は、鞘管に、少なくとも二枚の曲尺を移動可能と、抜差し自在とすることで、例えば、上記の（１）〜（３）の如く、通常のノギスとして使用を始めとして、深さの計測、上記の（４）〜（７）等の如く、長尺物の計測、深さの計測、又は短尺（長尺）で計測する際に、短尺間に障害物が存在する場合の計測、或いは計測物間に、上下、又は左右において、位相がある計測、等の、それぞれの得意な計測を可能とする計測方法を提供できる特徴がある。
【００１８】
請求項２の発明は、請求項１に記載の物の寸法を計測する方法であって、
曲尺の長短尺の内外側に、目盛りを設け、内外側の目盛りを利用して、物の寸法を計測する方法である。
【００１９】
従って、請求項２は、請求項１の目的を達成しつつ、さらに計測の容易化と、正確性に役立つ曲尺を提供し、その目的を達成できる特徴がある。
【００２０】
請求項３の発明は、請求項１に記載の物の寸法を計測する方法に使用する曲尺の鞘管であって、
鞘管は、筒状の本体と、本体に設けた少なくとも二本の曲尺のそれぞれ長尺の短手方向を併設して収容できる方形状の収容部と、収容部にスペーサを収容し、スペーサで、曲尺を収容部に緊締すると共に、緊締を、本体に螺着した止め螺子で行う構成とした曲尺の鞘管である。
【００２１】
請求項４の発明は、請求項１に記載の物の寸法を計測する方法に使用する曲尺の鞘管であって、
鞘管は、ケースと、ケースに設けた少なくとも二本の曲尺のそれぞれ長尺の短手方向を併設して収容できる方形状の空胴部と、又は空胴部に至るケースに螺着した止め螺子で行う構成とした曲尺の鞘管である。
【００２２】
従って、請求項３・４は、請求項１の目的を達成するための曲尺の構造を提供できる特徴がある。
【００２３】
請求項５の発明は、請求項２に記載の物の寸法を計測する方法に使用する曲尺の鞘管であって、
収容部の底部に、底部より低い底部を形成し、低い底部に、前記スペーサを、収容する構成とした曲尺の鞘管である。
【００２４】
請求項６の発明は、請求項３、又は請求項４に記載の物の寸法を計測する方法に使用する曲尺の鞘管であって、
本体、又はケースは、扁平筒状とする構成とした曲尺の鞘管である。
【００２５】
従って、請求項５・６は、請求項３の目的を達成するための曲尺の鞘管の構造を提供できる特徴がある。
【図面の簡単な説明】
【００２６】
【図１】曲尺の短尺と長尺を、ともに隣接する固定方法において、短尺間で物を挾み、長尺の目盛りを視認し、物の長さを計測する方法に使用する曲尺の組合せと鞘管の一例とを示した斜視図
【図２】図１の使用状態を示した斜視図
【図３】鞘管の一例と曲尺との関係を示した分解拡大斜視図
【図４】図３の組立て図
【図５】図４のＸ−Ｘ‘断面図
【図６】曲尺の短尺と長尺を、ともに隣接する固定方法において、短尺間で物を挾み、長尺の目盛りを視認し、物の長さを計測する方法に使用する曲尺の組合せと鞘管の他の一例とを示した斜視図
【図７】鞘管の他の一例と曲尺との関係を示した組立て図
【図８】図７のＹ−Ｙ‘断面図
【図９−１】第一の計測方法を示した平面図
【図９−２】第二の計測方法を示した平面図
【図９−３】第三の計測方法を示した平面図
【図９−４】第四の計測方法を示した平面図
【図９−５】第五の計測方法を示した平面図
【図９−６】第六の計測方法を示した平面図
【図９−７】第七の計測方法を示した平面図
【発明を実施するための形態】
【００２７】
以下、本発明の好ましい、実施例と、計測方法を説明するが、最初に、曲尺と鞘管との構造を、続いて、この曲尺と鞘管とを利用して、計測可能な、各例を説明する。しかし、計測方法は、あくまで、一実施例であり、図示の各例に、限定されない。
【００２８】
図１〜図５に示した一例では、曲尺Ａの長尺１と短尺２を、並列状態に配置し、この長尺１と短尺２を、それぞれ隣接し、この状態を、鞘管Ｂを介して、保持する構造である。従って、後述するように止め具を操作し、一方の長尺１をスライド（摺動、又は移動）し、かつ一方の短尺２をスライドする。このスライド位置にある一方の短尺２と、他方の長尺１の短尺２間に物Ｃを挾み、スライドした一方の短尺２の距離を、他方の長尺１（スライドしない長尺１）を利用して計測する構造である。この計測が終了した時点で、一方の長尺１を元に戻すことで、計測と、その操作（作業）が終了する。
【００２９】
この実施例における鞘管Ｂの構造は、筒状の本体３と、この本体３に設けた（長手方向に貫設した）方形状の収容部６と、この方形状の収容部６は、二本の曲尺Ａ、Ａ（対の例では、一つの符合とする）のそれぞれ長尺１の短手方向１ａを併設して収容できる構造である。図例では、ケース５は、両壁３００を長手方向に設けてなる略溝形の底体３０１と、この底体３０１を閉塞する両壁３００に止め具７を持って取付けられる蓋体３０２とで構成し、この底体３０１と蓋体３０２により、前記収容部６を構成する。そして、この収容部６には、窪部６００を形成し、この窪部６００には、弾性体、又は剛性等でなるスペーサ８を設け、このスペーサ８と緊締止め具１０を介して、二本の曲尺Ａ、Ａを、壁３００に弾圧する構造とし、かつ二本の曲尺Ａ、Ａをスライド可能とするか、又は緊締する。そして、この方形状の収容部６を利用する方法は、二本の曲尺Ａ、Ａをセットすると共に、固定側の曲尺Ａに対して、スライド側の曲尺Ａを、スライド可能とする。しかし、必要により、このスライド側の曲尺Ａを、スライドする際に、止め具１０を螺戻し、スペーサ８を後退させることで、余裕をもっとスライドする。その後、止め具１０を螺入し、このスライド側の曲尺Ａを、固定し、計測も可能である。
【００３０】
図６〜図８に示した他の一例では、鞘管Ｂをケース５とする構造であり、このケース５の空胴部５００に、曲尺Ａの長尺１と短尺２を、並列状態に配置し、この長尺１と短尺２を、それぞれ隣接し、この状態を、鞘管Ｂを介して、保持する構造である。従って、一方の長尺１を把持してスライドし、かつ一方の短尺２をスライドする。このスライド位置にある一方の短尺２と、他方の長尺１の短尺２間に物Ｃを挾み、スライドした一方の短尺２の距離を、他方の長尺１（スライドしない長尺１）を利用して計測する構造である。そして、この計測が終了した時点で、一方の長尺１を元に戻すことで、計測と、その操作が終了する。
【００３１】
この実施例における鞘管Ｂの構造は、樹脂製の筒状の本体３と、この本体３に設けた方形状の収容部６と、この方形状の収容部６は、二本の曲尺Ａのそれぞれ長尺１の短手方向１ａを併設して収容できる構造である。一体構造である。但し、二本の曲尺Ａを、止め具（図示しない）を介して緊締する例もあり得る。そして、この例では、一方の長尺１を把持して、スライドすることで、一方の短尺２がスライドする単純な機構であり、誰でも簡易かつ確実に使用できるのが特徴である。一方の短尺２がスライドした状態で、この一方の短尺２と他方の短尺２との間に、物Ｃを挾み、他方の長尺１の目盛りを視認する（読む）ことで、計測ができる。尚、図示しない止め具を採用する構造は、図示しない、止め具の螺入、螺戻を介して、一方の長尺１のスライドと、この一方の長尺１の固定を図る構造であり、原則として、前述の一例に、略準ずる。
【００３２】
続いて、図１等による計測方法と、図９−１〜図９−６を基に、計測方法の一例を説明すると、図示しない計測方法は、◎  請求項１の（１）、（４）に記載である。図９−１の例であり、曲尺Ａの短尺２と長尺１を、ともに隣接する固定方法において、一方の長尺１をスライド（摺動）し、この一方・他方の長尺１を固定した状態で、一方・他方の短尺２間で物Ｃを挾み、他方の長尺１の目盛りを視認し、物Ｃの長さ（外径）を計測する方法であり、その一方・他方の長尺１の操作と、スライド（摺動）、又は固定は前述の通りである。◎  次に、請求項１の（２）に記載である。図１等の例であり、曲尺Ａの短尺２と長尺１を、ともに隣接する固定方法において、一方・他方の短尺２を物Ｃの内面（内輪等）に当接し、他方の長尺１の目盛りを視認し、物Ｃの長さ（内径）を計測する方法であり、その一方・他方の長尺１の操作と、スライド、又は固定は前述の通りである。◎  請求項１の（３）に記載である。図９−２の例であり、曲尺Ａの長尺１を、長手方向が対峙して隣接する固定方法において、前述の如く、一方の長尺１をスライドし、この一方・他方の長尺１を固定した状態で、一方・他方の短尺２間で物Ｃを挾み、他方の長尺１の目盛りを視認し、物Ｃの長さを計測する方法であり、その一方・他方の長尺１の操作と、スライド、又は固定は前述の通りである。  ◎  そして、請求項１の（５）に記載である。図９−３の例であり、曲尺Ａの一方・他方の短尺２を、対峙方向とすると共に、一方・他方の長尺１の背面側を、隣接する固定方法において、対峙する一方・他方の短尺２を、それぞれ物Ｃに当接し、他方の長尺１の目盛りを視認し、物Ｃの長さを計測する方法であり、その一方・他方の長尺１の操作と、スライド、又は固定は前述の通りである。この計測方法は、図示の如く、一方・他方の短尺２間に邪魔物Ｃ１があっても計測できるのが特徴である。  ◎  請求項１の（６）に記載である。図９−４の例であり、曲尺Ａの一方・他方の短尺２を、対峙方向で、かつ上下方向とすると共に、一方・他方の長尺１の背面側を、隣接する固定方法において、一方の短尺２と、他方の長尺１の長手方向の端面を、それぞれ物Ｃに当接し、この他方の長尺１の目盛りを視認し、物Ｃの深さを計測する方法であり、その一方・他方の長尺１の操作と、スライド、又は固定は前述の通りである。  ◎  請求項１の（７）に記載である。図９−５に示した例は、一方の長尺１に、他方の短尺２を固定し、一方の短尺２と、他方の長尺１とを、それぞれ二つの物Ｃに当接し、この一方の短尺２と、他方の長尺１の目盛りを視認し、この物Ｃの長さを計測する方法であり、その一方・他方の長尺１の操作と、スライド、又は固定は前述の通りである。また、この計測方法で、二つの物Ｃ間の距離を、一方の長尺１の目盛りを視認して計測することも可能であり、重宝する。◎  そして、請求項１には記載しないが、図９−６に示した例は、三本の曲尺Ａと二個の鞘管Ｂを利用する計測方法であり、中間の曲尺Ａを繋ぎとする構造である。その使用方法は、原則として、図９−２の例に準ずる。  ◎  さらに、請求項１には記載しないが、図９−７に示した例は、屋上等において配管Ｄが重畳して設けられている例では、図９−１に示した固定方法による曲尺Ａを利用して計測することで、配管Ｄの水平方向のズレを計測でき、カバーＥの製作時の切欠き箇所を把握できる利点がある。曲尺Ａの操作と取扱は、原則として、図９−１の例に準ずる。
【００３３】
以上で、それぞれ説明した二本の曲尺Ａの使用（スライドと固定）は、一例であり、その他種々の方法があり、本発明の計測方法に、技術思想が同じもの、又は類似するものは、本発明の範疇である。
【００３４】
その他として、例えば、樹木の幹等を計測する場合において、測定箇所に、邪魔となる枝、葉、実等がある場合では、通常の測定具では計測できない状況でも、本発明の曲尺、又は計測方法では、極めて簡易、かつ迅速に計測できる利点がある。また、同様に事務所に設置されているパソコン機材、電話、事務機材、そのコード、又はプリンタ等の計測、又は設置の可能性等の計測に於いても、利用できる。さらに、建築資材、建築現場、又は各種の工事現場等に於いても、本発明の曲尺、又は計測方法では、極めて簡易、かつ有益性がある。
【符号の説明】
【００３５】
Ａ              曲尺
１              長尺
２              短尺
Ｂ              鞘管
３              本体
３００          壁
３０１          底体
３０２          蓋体
５              ケース
５００          空胴部
６              収容部
６００          窪部
７              止め具
８              スペーサ
１０            止め具
Ｃ              物
Ｃ１            邪魔物
Ｄ              配管
Ｅ              カバー
【図１】
2013054008.tif 000003
【図２】
2013054008.tif 000004
【図３】
2013054008.tif 000005
【図４】
2013054008.tif 000006
【図５】
2013054008.tif 000007
【図６】
2013054008.tif 000008
【図７】
2013054008.tif 000009
【図８】
2013054008.tif 000010
【図９−１】
2013054008.tif 000011
【図９−２】
2013054008.tif 000012
【図９−３】
2013054008.tif 000013
【図９−４】
2013054008.tif 000014
【図９−５】
2013054008.tif 000015
【図９−６】
2013054008.tif 000016
【図９−７】
2013054008.tif 000017